(57)【要約】【課題】内視鏡用光源装置の設置面上での円滑なスライド及び所望位置からの不意の移動防止を実現でき、しかもスライド可能な状態から移動防止状態へ切り替えるときに内視鏡用光源装置に大きな衝撃が掛かることのない内視鏡用光源装置を提供する。【解決手段】筐体１１と、筐体に接続した内視鏡５５の導光ファイバに光を供給する光源２８と、低摩擦位置と高摩擦位置との間を水平軸３６、３７回りに回転可能として筐体の底板１２に設けた回転支持脚４０と、回転支持脚の外周面に設けた、低摩擦位置に位置するときに下端部に位置する低摩擦部材４１、及び、高摩擦位置に位置するときに下端部に位置する低摩擦部材より摩擦係数が高い高摩擦部材４２と、上記外周面に形成した低摩擦部材と高摩擦部材の間に位置する部分全体に形成した凸曲面４３と、を備える。【選択図】図２
2013027576.tif 000002
【特許請求の範囲】
【請求項１】
筐体と、
該筐体に接続した内視鏡の導光ファイバに光を供給する、該筐体内に設けた光源と、
低摩擦位置と高摩擦位置との間を水平軸回りに回転可能として上記筐体の底板に設けた、低摩擦位置と高摩擦位置のいずれに位置するときも一部が該底板の下方に突出する少なくとも３つの回転支持脚と、
少なくとも２つの上記回転支持脚の上記水平軸回りの外周面に設けた、上記低摩擦位置に位置するときに下端部に位置する低摩擦部材、及び、上記高摩擦位置に位置するときに下端部に位置する上記低摩擦部材より摩擦係数が高い高摩擦部材と、
上記外周面に形成した、上記低摩擦部材と上記高摩擦部材の間に位置する部分全体に形成した凸曲面と、
を備えることを特徴とする内視鏡用光源装置。
【請求項２】
請求項１記載の内視鏡用光源装置において、
上記回転支持脚の外周面形状が上記水平軸を中心とする楕円形であり、
該楕円形の長辺の一端に位置する部分に上記高摩擦部材を設け、
該楕円形の短辺の一端に位置する部分に上記低摩擦部材を設けた内視鏡用光源装置。
【請求項３】
請求項１記載の内視鏡用光源装置において、
上記回転支持脚の外周面形状が上記水平軸を中心とする円形である内視鏡用光源装置。
【請求項４】
請求項１から３のいずれか１項記載の内視鏡用光源装置において、
すべての上記回転支持脚が高摩擦位置と低摩擦位置に同期しながら回転するように、上記各回転支持脚を連係する連係手段を備える内視鏡用光源装置。
【請求項５】
請求項４記載の内視鏡用光源装置において、
上記筐体の外側に位置し、上記回転支持脚を上記低摩擦位置に位置させる第１位置と、上記回転支持脚を上記高摩擦位置に位置させる第２位置と、に移動可能な操作手段を備える内視鏡用光源装置。
【発明の詳細な説明】
【技術分野】
【０００１】
本発明は、内視鏡に光を供給するための内視鏡用光源装置に関する。
【背景技術】
【０００２】
内視鏡用光源装置（プロセッサ）は一般的に、金属板等によって形成した筐体と、筐体の内部に設けた光源と、筐体の内部に設けた画像処理装置と、を具備しており、筐体の側面にはコネクタ挿入部が形成してある。内視鏡は一般的に、操作部と、操作部から延びかつ先端部に照明レンズ、対物レンズ、及び、撮像素子等を備える挿入部と、操作部から挿入部と反対側に向かって延び、その端部にコネクタを備えるユニバーサルチューブと、内部の全長に渡って配設した導光ファイバ及び画像データ送信用ケーブルと、を具備している。内視鏡のコネクタを内視鏡用光源装置のコネクタ挿入部に接続すると、光源で発生した光が筐体内において導光ファイバの端面に供給され、導光ファイバを通った光は内視鏡の挿入部の先端部に設けた照明レンズから外部に照射される。また内視鏡の撮像素子によって撮像された画像データは、画像データ送信用ケーブルを通って画像処理装置に送られ、画像処理装置によって画像処理された上で内視鏡用光源装置とは別体のディスプレイに表示される。
【０００３】
このように内視鏡用光源装置は光源や画像処理装置等を内蔵しているので、全体の重量は相応の大きさとなる。そのため、術者が一人で内視鏡用光源装置を持ち上げて、載置台の設置面の所望位置に載置するのは容易ではなく、特に載置台の設置面が高い位置に設定されている場合は非常に困難な作業となる。そのため従来は、持ち上げた内視鏡用光源装置を載置台の設置面の適当な場所（術者に近い場所）に一旦仮置きした後に、内視鏡用光源装置を設置面上でスライドさせて、設置面上の所望位置まで移動させるのが一般的であった。
【０００４】
しかし、設置面に載置した後に内視鏡用光源装置が設置面上を不意にスライドするのを防ぐ必要があるため、内視鏡用光源装置の底部には（設置面との間の）摩擦係数が高い部材（例えばゴム）からなる複数の支持部材が突設してある。そのため内視鏡用光源装置を載置台の設置面に仮置きした後に、内視鏡用光源装置を設置面上でスライドさせる作業も決して容易ではない。
【０００５】
この問題を解消するためには、例えば、内視鏡用光源装置の底部にゴム等からなる複数の支持部材を突設した上で、内視鏡用光源装置の底部に、水平軸回りに回転可能で外周面の（設置面との間の）摩擦係数が支持部材より小さい回転支持脚を設け、回転支持脚が所定の回転位置まで回転したときに回転支持脚の下端部を支持部材の下端より下方に位置させ、回転支持脚が当該回転位置以外の回転位置に位置するときは回転支持脚の下端部を支持部材の下端より上方に位置させればよい。
術者が回転支持脚を具備する内視鏡用光源装置を持ち上げて載置台の設置面に仮置きする際は、予め回転支持脚を上記所定の回転位置に位置させておき、各回転支持脚の下端部を設置面に載せる。この状態で内視鏡用光源装置を設置面上の所望位置までスライドさせたら、回転支持脚を上記所定の回転位置以外の回転位置まで回転させて、回転支持脚の下端部を支持部材の下端より上方に移動させる。すると、それまで設置面から上方に離間していた各支持部材が落下して設置面に接触するので、内視鏡用光源装置に対して不意に小さな力が掛かっても内視鏡用光源装置が設置面上を移動することはない。
【先行技術文献】
【特許文献】
【０００６】
【特許文献１】特許第４５９０２３５号公報
【発明の概要】
【発明が解決しようとする課題】
【０００７】
しかし上記構造の回転支持脚を具備する内視鏡用光源装置には、以下の欠点がある。
即ち、内視鏡用光源装置を設置面上の所望位置までスライドさせた後に回転支持脚を上記所定の回転位置以外の回転位置まで回転させると、内視鏡用光源装置全体が重力によって落下し、各支持部材が設置面に激しく衝突するので、内視鏡用光源装置（の内蔵品）に悪影響が出るおそれがある。
また、内視鏡用光源装置の底部を手で支えた上で回転支持脚を上記所定の回転位置以外の回転位置まで回転させて、各支持部材をゆっくりと設置面に接触させれば、この問題は解消する。しかし、この作業には大きな力が必要であるため、決して容易に行うことは出来ない。
【０００８】
本発明は、内視鏡用光源装置の設置面上での円滑なスライド及び所望位置からの不意の移動防止を実現でき、しかもスライド可能な状態から移動防止状態へ切り替えるときに内視鏡用光源装置に大きな衝撃が掛かることのない内視鏡用光源装置を提供することを目的とする。
【課題を解決するための手段】
【０００９】
本発明の内視鏡用光源装置は、筐体と、該筐体に接続した内視鏡の導光ファイバに光を供給する、該筐体内に設けた光源と、低摩擦位置と高摩擦位置との間を水平軸回りに回転可能として上記筐体の底板に設けた、低摩擦位置と高摩擦位置のいずれに位置するときも一部が該底板の下方に突出する少なくとも３つの回転支持脚と、少なくとも２つの上記回転支持脚の上記水平軸回りの外周面に設けた、上記低摩擦位置に位置するときに下端部に位置する低摩擦部材、及び、上記高摩擦位置に位置するときに下端部に位置する上記低摩擦部材より摩擦係数が高い高摩擦部材と、上記外周面に形成した、上記低摩擦部材と上記高摩擦部材の間に位置する部分全体に形成した凸曲面と、を備えることを特徴としている。
【００１０】
上記回転支持脚の外周面形状が上記水平軸を中心とする楕円形であり、該楕円形の長辺の一端に位置する部分に上記高摩擦部材を設け、該楕円形の短辺の一端に位置する部分に上記低摩擦部材を設けてもよい。
【００１１】
上記回転支持脚の外周面形状が上記水平軸を中心とする円形でもよい。
【００１２】
すべての上記回転支持脚が高摩擦位置と低摩擦位置に同期しながら回転するように、上記各回転支持脚を連係する連係手段を備えてもよい。
この場合、上記筐体の外側に位置し、上記回転支持脚を上記低摩擦位置に位置させる第１位置と、上記回転支持脚を上記高摩擦位置に位置させる第２位置と、に移動可能な操作手段を備えてもよい。
【発明の効果】
【００１３】
本発明によれば、回転支持脚を低摩擦位置に位置させた状態で内視鏡用光源装置を載置台等の設置面に載せれば、（設置面との間の）摩擦係数が小さい低摩擦部材を利用することによって、内視鏡用光源装置を設置面上の所望位置まで円滑にスライドさせることができる。
そして内視鏡用光源装置を設置面上の所望位置までスライドさせた後に、回転支持脚を高摩擦位置まで回転させれば、低摩擦部材より（設置面との間の）摩擦係数が高い高摩擦部材が設置面に接触するので、内視鏡用光源装置に対して不意に小さな力が掛かっても内視鏡用光源装置は移動しない。
さらに回転支持脚を低摩擦位置と高摩擦位置の間で回転させるとき、回転支持脚は凸曲面を設置面に回転接触させながら回転するので、内視鏡用光源装置に大きな衝撃が掛かることがない。
【図面の簡単な説明】
【００１４】
【図１】本発明の第１の実施形態の内視鏡用光源措置の筐体の天板を取り除いて示した、回転支持脚が低摩擦位置に位置するときの平面図である。
【図２】図１のII−II矢線に沿う断面図である。
【図３】回転支持脚が高摩擦位置に位置するときの図１と同様の平面図である。
【図４】回転支持脚が高摩擦位置に位置するときの図２と同様の断面図である。
【図５】本発明の第２の実施形態の図１と同様の平面図である。
【図６】同じく図２と同様の断面図である。
【発明を実施するための形態】
【００１５】
以下、図１から図４を参照しながら本発明の第１の実施形態について説明する。なお、以下の説明中における前後左右の方向は図中の矢印方向を基準としている。
まず内視鏡用光源装置１０の構造について説明する。
内視鏡用光源装置１０は、金属板によって六面を構成した直方体形状の筐体１１を備えている。筐体１１の底板１２及び天板１３は平面視矩形である。筐体１１の前板１４には光源用接続スリーブ差込孔１６が形成してある。底板１２の上面には接続部材１７の下端部が固定してあり、接続部材１７の上部を構成する画像処理用接続スリーブ差込部１８が前板１４に固定してある。画像処理用接続スリーブ差込部１８は前後方向に延びる円筒形状であり、その前後両端はともに開口している。
【００１６】
筐体１１の内部空間の下端近傍部には、底板１２と平行な支持板（図示略）が底板１２との間に隙間を形成した状態で固定してある。
支持板の上面には、電源２０、及び、光源装置２３等が固定してある。
光源装置２３は、左右両側面が開口し、前面に採光孔（図示略）を備える角筒状のハウジング２４を具備しており、ハウジング２４の下面が上記支持面に固定してある。ハウジング２４の内部空間には、前後一対のヒートシンク２６、２７が前後方向に間隔を開けて不動状態で配設してある。ヒートシンク２６、２７は、金属等の熱伝導性が良好な材料から成形したものであり、前側のヒートシンク２６の前部には水平な板状の放熱用フィン２６ａが上下に並べて複数形成してあり、後側のヒートシンク２７の後部には水平な板状の放熱用フィン２７ａが上下に並べて複数形成してある。
前側のヒートシンク２６の後面と後側のヒートシンク２７の前面には嵌合用孔部（図示略）がそれぞれ設けてある。ヒートシンク２６及びヒートシンク２７の嵌合用孔部にはランプ２８（光源）の略円筒状をなす金属ケースの前端部と後部端がそれぞれ嵌合固定してある。このランプ２８はキセノンランプ等の放電ランプであり、ハウジング２４の前壁に穿設した上記採光孔を通して光源用接続スリーブ差込孔１６と前後方向に対向している。筐体１１の外面に設けたスイッチ（図示略）をＯＮ操作すると、電源２０の電力がランプ２８に供給されランプ２８が点灯し、該スイッチをＯＦＦ操作すると電力の供給が遮断されランプ２８が消灯する。
また上記支持板の上面には、図示を省略した画像処理装置が設けてある。
【００１７】
図示するように底板１２には吸気孔３０が形成してあり、筐体１１の左側板１５のハウジング２４と対向する部分には排気孔３１が形成してある。さらに筐体１１の内部にはファン３２が設けてある。筐体１１の上記スイッチをＯＮ操作すると、電源２０の電力がファン３２に供給されファン３２が回転する。
【００１８】
底板１２の前後２カ所には、左右方向に延びるスリット３４、３５（図２、図４参照。図１、図３では図示略）が形成してある。
スリット３４とスリット３５には、左右方向に直線的に延びる水平軸３６、３７がそれぞれ配設してある。水平軸３６、３７の左右両端部は底板１２と一体化した軸受け（図示略）によって回転可能に支持されているので、水平軸３６、３７はスリット３４、３５内において、それぞれ自身の軸線回りに回転可能である。
水平軸３６、３７の左右２カ所には回転支持脚４０がそれぞれ固定してある。計４つの回転支持脚４０の外周面形状は、水平軸３６、３７が貫通する中心点を中心とする楕円形状である（図２、図４参照）。各回転支持脚４０の短辺の一方の端部に位置する部分は、（後述する載置台の載置面５０との間の）摩擦係数が小さい低摩擦部材４１により構成してあり、長辺の一方の端部に位置する部分は（載置面５０との間の）摩擦係数が低摩擦部材４１より大きい高摩擦部材４２により構成してある。
【００１９】
水平軸３６、３７の左右２カ所には、計４つの接続部材４４の一端がそれぞれ固定してある。さらに左側に位置する前後の接続部材４４には、前後方向に延びる連係リンク４５の前後両端に形成した右側に向かって屈曲する接続端部４６が、接続端部４６の軸線回りに相対回転可能として接続している。同様に右側に位置する前後の接続部材４４には、前後方向に延びる連係リンク４５の前後両端に形成した接続端部４６が、接続端部４６の軸線回りに相対回転可能として接続している。
このように前後の水平軸３６、３７、４つの接続部材４４、及び、前後の連係リンク４５からなる連係手段を介して４つの回転支持脚４０が互いに連係しているので、４つの回転支持脚４０は互いに同期しながら水平軸３６、３７回りに回転する。具体的には、回転支持脚４０（楕円形）の短辺が上下方向を向き、かつ低摩擦部材４１が回転支持脚４０の下端部に位置する低摩擦位置（図１、図２の位置）と、低摩擦位置から図２の矢印方向に９０°回転した位置であり、回転支持脚４０（楕円形）の長辺が上下方向を向き、かつ高摩擦部材４２が回転支持脚４０の下端部に位置する高摩擦位置（図３、図４の位置）と、の間を互いに同期しながら回転する。回転支持脚４０が低摩擦位置と高摩擦位置の間のいずれの位置（低摩擦位置と高摩擦位置を含む）に位置するときも、回転支持脚４０の下部は底板１２より下方に位置する。
さらに水平軸３７の左端部は筐体１１の左側板１５を貫通している。さらに水平軸３７の左端部には略９０°の角度で屈曲する操作レバー３８（操作手段）が形成してあり、操作レバー３８の先端部には球状の把持部３９（操作手段）が固定してある。操作レバー３８は図１、図２に示す第１位置と、図３、図４に示す第２位置との間を水平軸３７回りに回転可能であり、操作レバー３８が第１位置に位置するとき各回転支持脚４０が低摩擦位置に位置し、操作レバー３８が第２位置に位置するとき各回転支持脚４０が高摩擦位置に位置する。
【００２０】
続いて内視鏡用光源装置１０の使用要領について説明する。
まず内視鏡用光源装置１０を載置台に形成された載置面５０に載せる要領について説明する。
この場合はまず、操作レバー３８を第１位置まで回転させることにより、各回転支持脚４０を予め低摩擦位置に位置させておく。その上で術者等が内視鏡用光源装置１０全体を持ち上げて各回転支持脚４０を載置台の載置面５０の手前側の縁部近傍部（術者に近い側の縁部の近傍部）に載せる。すると（設置面５０との間の）摩擦係数が小さい低摩擦部材４１が載置面５０に接触するので、術者等が手で内視鏡用光源装置１０の側面を押圧することにより、内視鏡用光源装置１０を載置面５０上の所望位置まで円滑にスライド移動させることができる。
内視鏡用光源装置１０を設置面５０上の所望位置までスライドさせた後に、操作レバー３８を操作して各回転支持脚４０を第２位置まで回転させると、各回転支持脚４０の外周面の低摩擦部材４１と高摩擦部材４２の間の部分全体に形成された凸曲面４３が載置面５０に回転接触し、各回転支持脚４０が高摩擦位置まで回転する。このように回転支持脚４０を低摩擦位置から高摩擦位置へ回転させるときに凸曲面４３が載置面５０に回転接触するので、内視鏡用光源装置１０に大きな衝撃が掛かることがない。各回転支持脚４０が高摩擦位置まで回転すると低摩擦部材４１より（設置面５０との間の）摩擦係数が高い高摩擦部材４２が設置面５０に接触するので、内視鏡用光源装置１０に対して不意に小さな力が掛かっても内視鏡用光源装置１０が上記所望位置から移動することはない。
さらに各回転支持脚４０が高摩擦位置まで回転すると、各回転支持脚４０が低摩擦位置に位置する場合に比べて載置面５０と底板１２の間の隙間（上下寸法）が大きくなる。
【００２１】
続いて内視鏡用光源装置１０に電子内視鏡５５を接続する。
電子内視鏡５５は、操作部と、操作部から延びかつ先端部に照明レンズ、対物レンズ、及び、撮像素子等を備える可撓性を有する挿入部と、操作部から挿入部と反対側に向かって延びるユニバーサルチューブ５６と、ユニバーサルチューブ５６の端部に設けたコネクタ５７と、を具備している。コネクタ５７の後端面には共に略円筒形状をなす画像処理用接続スリーブ５８と光源用接続スリーブ５９が突設してある。さらに電子内視鏡５５の内部には、画像処理用接続スリーブ５８の内部から挿入部の先端部の間に渡って画像データ送信用ケーブルが配設してあり、さらに光源用接続スリーブ５９の内部から挿入部の先端部の間に渡って導光ファイバが配設してある。
術者が内視鏡用光源装置１０から分離した状態にある電子内視鏡５５のコネクタ５７を前板１４に近づけて、画像処理用接続スリーブ５８と光源用接続スリーブ５９を画像処理用接続スリーブ差込部１８と光源用接続スリーブ差込孔１６にそれぞれ差し込むと、コネクタ５７が内視鏡用光源装置１０に接続する。この状態で上記スイッチをＯＮ操作すると、ランプ２８で発生した光が光源用接続スリーブ５９の開口端部において露出する導光ファイバの端面に供給され、導光ファイバを通った光が電子内視鏡５５の挿入部の先端部に設けた照明レンズから外部に照射される。また対物レンズを透過した観察像を撮像素子が撮像すると、撮像された画像データが画像データ送信用ケーブルを通って上記画像処理装置に送られ、画像処理装置によって画像処理された上で内視鏡用光源装置１０とは別体のディスプレイに表示される。
また上記スイッチをＯＮ操作するとファン３２が回転する。このとき（各回転支持脚４０が高摩擦位置に位置するとき）内視鏡用光源装置１０の底板１２と載置面５０の間の隙間（上下寸法）は回転支持脚４０が低摩擦位置に位置する場合に比べて大きくなっているので、ファン３２が回転すると底板１２の下方空間にある空気が吸気孔３０を通して筐体１１内に円滑に流入する。吸気孔３０を通して筐体１１内に流入した空気流はファン３２によってハウジング２４側へ送られ、ハウジング２４の内部空間（及び隣り合う放熱用フィン２６ａ、２７ａの隙間）を通り抜けた後に排気孔３１を通って筐体１１の外部に排気される。従って、筐体１１の内部に配設した各装置（特にランプ２８）が極度に高温化するのを防止できる。
【００２２】
内視鏡術が終了した後に上記スイッチをＯＦＦ操作すれば、ランプ２８、ファン３２、及び上記画像処理装置等が動作を停止する。
電子内視鏡５５の画像処理用接続スリーブ５８と光源用接続スリーブ５９を内視鏡用光源装置１０の画像処理用接続スリーブ差込部１８と光源用接続スリーブ差込孔１６からそれぞれ引き抜いた後に、操作レバー３８を第１位置まで回転させて各回転支持脚４０を低摩擦位置まで回転させると、各低摩擦部材４１が載置面５０に接触する。回転支持脚４０が高摩擦位置から低摩擦位置へ回転するときに内視鏡用光源装置１０全体が重力によって下方へ移動するが、このとき各回転支持脚４０の外周面の低摩擦部材４１と高摩擦部材４２の間の部分に形成された凸曲面４３が載置面５０に回転接触するので、このときに内視鏡用光源装置１０に大きな衝撃が掛かることはない。低摩擦部材４１の（設置面５０との間の）摩擦係数は小さいので、術者等が手で内視鏡用光源装置１０を手前側（術者側）に引けば、内視鏡用光源装置１０を載置面５０の手前側の縁部近傍部まで円滑にスライド移動させることができる。その後に内視鏡用光源装置１０全体を手で持ち上げれば、内視鏡用光源装置１０を元に場所に戻すことができる。
【００２３】
続いて本発明の第２の実施形態について図５、図６を参照しながら説明する。なお、第１の実施形態と同じ部材には同じ符号を付すに止めて、その詳細な説明は省略する。
本実施形態の内視鏡用光源装置６０は回転支持脚６１の形状が内視鏡用光源装置１０の回転支持脚４０とは異なる。
水平軸３６、３７の左右２カ所に固定した計４つの回転支持脚６１の外周面形状は、水平軸３６、３７が貫通する中心点を中心とする円形部材である（図６参照）。各回転支持脚６１の外周部の２カ所には低摩擦部材４１と高摩擦部材４２が設けてある。図示するように低摩擦部材４１と上記中心点を結ぶ直線と、高摩擦部材４２と該中心点を結ぶ直線とがなす角度は９０°である。操作レバー３８を操作して回転支持脚６１を回転させると、回転支持脚６１の外周面の低摩擦部材４１と高摩擦部材４２の間の部分全体に形成された凸曲面（円弧面）６２が載置面５０に回転接触する。操作レバー３８が第１位置に位置するとき各回転支持脚６１は図示する低摩擦位置（低摩擦部材４１が回転支持脚６１の下端部に位置する位置）に位置し、操作レバー３８が第２位置に位置するとき各回転支持脚６１は図示を省略した高摩擦位置（低摩擦位置から図６の矢印方向に９０°回転した位置であり、高摩擦部材４２が回転支持脚６１の下端部に位置する位置）に位置する。回転支持脚６１が低摩擦位置と高摩擦位置の間のいずれの位置（低摩擦位置と高摩擦位置を含む）に位置するときも、回転支持脚６１の下部は底板１２より下方に位置する。
内視鏡用光源装置６０の使用要領は内視鏡用光源装置１０と同じであり、その動作も内視鏡用光源装置１０と基本的に同じである。
但し、回転支持脚６１が円形であるため、回転支持脚６１を低摩擦位置と高摩擦位置の間で回転させたときに、載置面５０と底板１２の間の隙間（上下寸法）が変化しない。そのため回転支持脚６１を低摩擦位置と高摩擦位置の間で回転させたときに内視鏡用光源装置６０に大きな衝撃が掛かるおそれは、内視鏡用光源装置１０に比べてさらに小さい。また回転支持脚６１が回転するときに内視鏡用光源装置６０が載置面５０に対して上下動しないので、術者は（内視鏡用光源装置１０に比べて）より小さい力で操作レバー３８を操作することが可能である。
【００２４】
以上、本発明を上記各実施形態を用いて説明したが、本発明はこれらの実施形に限定されるものではなく、様々な変更を施しながら実施可能である。
例えば、回転支持脚４０、６１の数は３つ以上であればいくつでもよい。
また、すべての回転支持脚４０、６１に低摩擦部材４１及び高摩擦部材４２を設ける必要はなく、少なくとも２つの回転支持脚４０、６１に低摩擦部材４１及び高摩擦部材４２を設ければよい。
また回転支持脚４０の短辺の一端に位置する部分に高摩擦部材４２を設け、長辺の一端に位置する部分に低摩擦部材４１を設け、回転支持脚４０の低摩擦位置を低摩擦部材４１が回転支持脚４０の下端部に位置する位置とし、回転支持脚４０の高摩擦位置を高摩擦部材４２が回転支持脚４０の下端部に位置する位置としてもよい。
さらに回転支持脚４０、６１自体の素材の（載置面５０との間の）摩擦係数が小さい場合は、低摩擦部材４１を設ける必要はなく、回転支持脚４０、６１の一部（素材）を「低摩擦部材」として利用できる。同様に、回転支持脚４０、６１自在の素材の（載置面５０との間の）摩擦係数が大きい場合は、高摩擦部材４２を設ける必要はなく、回転支持脚４０、６１の一部（素材）を「高摩擦部材」として利用できる。
さらに回転支持脚４０、６１の形状（水平軸３６、３７に直交する断面形状）は上記のものには限定されず、低摩擦部材４１と高摩擦部材４２の間に位置する部分全体が一つの凸曲面を構成し、かつ、低摩擦部材４１、高摩擦部材４２、及び、該凸曲面を形成した部分が底板１２の下方に位置するのであれば、他の形状であってもよい。
また操作レバー３８、把持部３９の代わりの操作手段として、筐体１１の外側面に回転可能に取り付けた摘み部材を採用し、摘み部材を回転することにより水平軸３７を回転させてもよい。
さらに筐体１１に、水平軸３７に接続する駆動手段（例えばモータ）を設け、筐体１１に設けたスイッチを操作することにより該駆動手段を動作させて、該駆動手段の動力によって水平軸３７を回転させてもよい。
また光源としてランプ２８以外のもの（例えばＬＥＤなど）を用いてもよい。
【符号の説明】
【００２５】
１０    内視鏡用光源装置（プロセッサ）
１１    筐体
１２    底板
１３    天板
１４    前板
１５    左側板
１６    光源用接続スリーブ差込孔
１７    接続部材
１８    画像処理用接続スリーブ差込部
２０    電源
２３    光源装置
２４    ハウジング
２６  ２７  ヒートシンク
２６ａ  ２７ａ  放熱用フィン
２８    ランプ（光源）
３０    吸気孔
３１    排気孔
３２    ファン
３４  ３５  スリット
３６  ３７  水平軸（連係手段）
３８    操作レバー（操作手段）
３９    把持部（操作手段）
４０    回転支持脚
４１    低摩擦部材
４２    高摩擦部材
４３    凸曲面
４４    接続部材（連係手段）
４５    連係リンク（連係手段）
４６    接続端部
５０    載置面
５５    電子内視鏡（内視鏡）
５６    ユニバーサルチューブ
５７    コネクタ
５８    画像処理用接続スリーブ
５９    光源用接続スリーブ
６０    内視鏡用光源装置（プロセッサ）
６１    回転支持脚
６２    凸曲面
【図１】
2013027576.tif 000003
【図２】
2013027576.tif 000004
【図３】
2013027576.tif 000005
【図４】
2013027576.tif 000006
【図５】
2013027576.tif 000007
【図６】
2013027576.tif 000008